【事件の表示】
　平成　９年特許願第２７７４００号「デジタル音声放送受信装置」拒絶査定不服審判事件〔平成１１年　４月３０日出願公開，特開平１１−１２２１９９〕について，次のとおり審決する。
【結　論】
　本件審判の請求は、成り立たない。
【理　由】
第１　手続の経緯
　
　本願は，平成９年１０月９日の出願であって，平成１９年１月１８日付けで拒絶査定がなされ，これに対し，同年２月２２日に拒絶査定不服審判が請求されるとともに，同年３月１５日付けで手続補正がされたものである。 
　
　
 第２　平成１９年３月１５日付け手続補正についての補正却下の決定 
　
［補正却下の決定の結論］
　
　平成１９年３月１５日付け手続補正を却下する。
　
［補正却下の決定の理由］ 
　
 （１）補正の内容 
　
　平成１９年３月１５日付け手続補正（以下，「本件補正」という。）により，特許請求の範囲の請求項１は次のとおりに補正された。
　
 「音声信号からなる音声番組と同時に音声付加情報を多重して送信するデジタル音声放送を受信するデジタル音声放送受信装置において，
　上記音声信号及び上記音声付加情報を有する受信信号を受信する受信手段と，
　上記受信手段により受信された上記音声信号及び上記音声付加情報を有する受信信号から上記音声付加情報をデコードするデコード手段と，
　上記デコード手段によりデコードされた上記音声付加情報を
，現在から指定した時間の間だけ繰り返すようにして，
　上記
現在から指定した時間及び繰り返し回数
　上記入力手段により選択的に入力設定された
上記現在から指定した時間及び繰り返し回数だけ，現在から指定した時間の間だけ繰り返すようにして，
　を備えたことを特徴とするデジタル音声放送受信装置。」
　
　なお，下線は本件補正により付加された箇所を示す。
　
　
（２）補正事項の検討 
　
　審判請求人は審判請求書において，「この請求項１の補正事項は，先の請求項１に先の請求項３の記載を限定したものであります。段落［0017］，［0050］の記載に基づくものであります。」（（３）本願発明が特許されるべき理由　イ．本願発明の説明）と主張しているので，本件補正が，特許法第１７条の２第３項に規定する要件を満たしているか否かについて，以下検討する。
　
　本願の願書に最初に添付された明細書及び図面（以下「当初明細書等」という。）には，音声付加情報を記録手段に記録することに関して，以下の事項が記載されている。
　
（ア）「マイコン４は，使用者がキー６を用いて所定の設定条件を入力することにより，予め，楽曲情報９を記憶装置５に記録する期間を設定，記憶している。キー６は，上述した期間を，以下のような複数のうちから任意の期間を選択的に入力設定する機能を有する。第１の期間は，現在から指定した時間の間だけ繰り返して現在の楽曲情報を記憶装置５に記録するものである。第２の期間は，指定したある時刻から，指定した次の時刻までの間だけ，繰り返して現在の楽曲情報を記憶装置５に記録するものである。第３の期間は，指定した番組の間だけ，繰り返して指定した番組の楽曲情報を記憶装置５に記録するものである。第４の期間は，使用者が記録開始のキー入力をしたときから，記録停止のキー入力をしたときまで，繰り返してその楽曲情報を記憶装置５に記録するものである。マイコン４は，上述した複数のうちから任意の期間を選択的に設定する機能を有する。」（段落【００１７】）
　
（イ）「上述したようにして，自動的に記録された音声付加情報は，使用者が所定記録件数で自動的に記録を停止するようにして，記憶装置５において，記憶保存することができる。」（段落【００４１】）
　
（ウ）「音声付加情報としての楽曲情報９を所定の設定条件に基づいて記録する記録手段としての記憶装置５」（段落【００４３】）
　
（エ）「この発明のデジタル音声放送受信装置は，上述において，上記所定の設定条件は，現在から指定した時間の間だけ繰り返すようにして，現在の番組情報を上記記録手段に記録するようにしたので，繰り返して記録された番組情報の記録回数から聴取時間を判断することができ，これにより，例えば，記録回数が多いときは重要番組情報である等の番組情報の優先順位を判断することができるという効果を奏する。」（段落【００５０】，また段落【００４５】にもほぼ同じ内容の記載あり。）
　
　上記（ア），（ウ）によれば，当初明細書等には，現在から指定した時間を選択的に入力設定する入力手段は記載されているものの，「繰り返し回数」を選択的に入力設定する入力手段は記載されていない。
　
　上記（ア），（ウ），（エ）によれば，「番組情報」は「音声付加情報」を意味すると解されるものの，繰り返して記録された音声付加情報（番組情報）の記録回数は，入力手段で入力設定された現在から指定した時間に基づいて，現在から指定した時間の間だけ繰り返すようにして，音声付加情報を記録した結果得られるものであって，入力手段から入力設定するものとはいえない。
　
　当初明細書等の段落【００３０】〜【００４０】には，デジタル音声放送受信装置の動作の中で，曲情報リストの件数が最大記録件数以上であるときは，最も古いデータを１件消去した後で，曲情報リストに前回の音声付加情報を記録することが記載されているから，上記（イ）に記載された「所定記録件数」は上記「最大記録件数」を意味すると解され，入力手段から選択的に入力設定された「繰り返し回数」を意味するものではない。
　
　また，上記（ア），（ウ），（エ）によれば，「番組情報」は「音声付加情報」を意味すると解されるから，当初明細書等には，入力手段により選択的に入力設定された所定の設定条件に基づいて，現在から指定した時間の間だけ繰り返すようにして，音声付加情報を記録手段に記録すること，すなわち，入力手段により選択的に入力設定された現在から指定した時間の間だけ繰り返すようにして，記録手段の記録に関する動作を制御する制御手段は，記載されているものの，入力手段により選択的に入力設定された現在から指定した時間及び繰り返し回数だけ，記録手段の記録に関する動作を制御する制御手段は，記載されていない。
　
　このように，当初明細書等には，「繰り返し回数」を選択的に入力設定する入力手段は記載されておらず，また，入力手段により選択的に入力設定された現在から指定した時間及び繰り返し回数だけ，記録手段の記録に関する動作を制御する制御手段は記載されていない。
　
　しかしながら，本件補正後の請求項１において，補正箇所を含む部分には，「上記
現在から指定した時間及び繰り返し回数
上記現在から指定した時間及び繰り返し回数だけ，現在から指定した時間の間だけ繰り返すようにして，
　
　
　したがって，本件補正は，願書に最初に添付した明細書又は図面に記載した事項の範囲内においてしたものでないから，特許法第１７条の２第３項に規定する要件を満たしていない。
　
　
（３）補正却下の決定についてのむすび  
　
　以上のとおり，本件補正は，特許法第１７条の２第３項の規定に違反するので，同法第１５９条第１項において読み替えて準用する同法第５３条第１項の規定により却下すべきものである。 
　
　
 第３　本願発明
　
　本件補正は上記のとおり却下されたので，本願の請求項１に係る発明（以下，「本願発明」という。）は，平成１８年１２月２２日付け手続補正書の特許請求の範囲の請求項１に記載された事項により特定される次のとおりのものである。 
　
 「音声信号からなる音声番組と同時に音声付加情報を多重して送信するデジタル音声放送を受信するデジタル音声放送受信装置において，
　上記音声信号及び上記音声付加情報を有する受信信号を受信する受信手段と，
　上記受信手段により受信された上記音声信号及び上記音声付加情報を有する受信信号から上記音声付加情報をデコードするデコード手段と，
　上記デコード手段によりデコードされた上記音声付加情報を任意のタイミングに基づいて記録する記録手段と，
　上記任意のタイミングを選択的に入力設定する入力手段と，
　上記入力手段により選択的に入力設定された任意のタイミング及びその組み合わせにより上記記録手段の記録に関する動作を制御する制御手段と，
　を備えたことを特徴とするデジタル音声放送受信装置。」
　
　
第４　刊行物に記載された発明
　
　原査定の拒絶の理由において引用された，本願出願日前に頒布された特開平９−１２１１９７号公報（平成９年５月６日公開。以下「刊行物」という。）には，図面とともに以下の事項（オ）〜（シ）が記載されている。
　
（オ）「【従来の技術】一般に『見えるラジオ』として知られているＦＭ多重放送では，音声信号に文字データを多重化して放送している。」（段落【０００２】）
　
（カ）「【発明の実施の形態】以下，図１〜図４により本発明の実施の形態としての各例を説明する。実施の形態の放送データ出力システムとしては，ＦＭ多重放送に対応するものとするが，ここではＦＭ受信装置とパーソナルコンピュータを使用するシステム例をあげる。そしてＦＭ受信装置にはミニディスク（光磁気ディスク）を記録媒体として用いる記録装置部が一体的に備えられているものとする。
【００１２】図１はＦＭ受信装置とパーソナルコンピュータを用いたシステムの構成を示すブロック図である。ＦＭ受信装置部１は，例えばＦＭラジオ受信機としての通常の機能に加えて文字データに関する機能部位を備えており，またパーソナルコンピュータ２に対するインターフェース手段を備えているものである。
【００１３】ＦＭ受信装置部１では，アンテナ１１で受信される信号はフロントエンド１２において局発ＰＬＬ部１３からの制御により所要の放送局の受信のために周波数選択される。フロントエンド１２で抽出された周波数（放送局）の信号は中間周波増幅部１４において中間周波処理された後，ＦＭ検波部１５で検波復調処理が行なわれる。ＦＭ検波部１５からの出力時点では，図２に周波数アロケーションを示すような形態の信号が得られる。即ちＬ，Ｒのステレオ音声信号成分（Ｌ＋Ｒ）（Ｌ−Ｒ）と，これに対して多重化されている文字データ信号成分となる。
【００１４】このうち５３ＫＨｚ以下の信号成分については，マルチプレックス部１６の処理によりＬ，Ｒ音声信号として取り出される。Ｌ，Ｒ音声信号は音声処理部で音量レベルやイコライジングなどの所要の処理が行なわれ，アンプ１８を介してスピーカ部１９に供給され，放送音声として出力される。
【００１５】またマルチプレックス部１６からのＬ，Ｒ音声信号は，ミニディスク記録装置部としての部位にも供給される。つまりＡ／Ｄ変換器３０において１６ビット量子化，44.1KHz サンプリングのデジタルデータ形態とされた後，エンコーダ３１に供給される。エンコーダ３１では，まずデータ量を約１／５に圧縮する圧縮処理を施す。圧縮処理されたデジタルデータは内部のバッファメモリに取り込まれ，所定データ量が蓄積される毎に読み出される。そしてバッファメモリから読み出されたデータは，ＣＩＲＣエンコード，ＥＦＭ変調等の処理が行なわれ，記録データとして記録部３２に供給される。
【００１６】記録部３２には記録媒体となるミニディスク９０が装填されるとともに，ミニディスク回転駆動機構，光学ヘッド機構，磁気ヘッド機構，サーボ機構等が設けられており，これらの機構の動作により記録データがミニディスク９０に記録されていく。エンコーダ３１及び記録部３２の各機構の動作は，マイクロコンピュータによって形成されるコントローラ３３により制御される。
【００１７】図２の周波数アロケーションに示すように，文字データは７６ＫＨｚのキャリアでＬＭＳＫ（Level controlled Minimum Shift Keying ）という変調方式で変調され，多重化されているものであるが，多重化された文字データを抽出するために，まずＦＭ検波部１５の出力からバンドパスフィルタ２０で７６ＫＨｚ付近の帯域の信号成分が抽出される。そして７６ＫＨｚ付近の帯域の信号成分は文字データデコーダ２１に送られ，文字データの抽出が行なわれる。ここでの処理はＬＭＳＫ復調処理及び誤り訂正処理が行なわれて，ＪＩＳ２バイトコードで１文字が表現されている文字列が抽出されることになる。
【００１８】抽出された文字列としてのデータは，シリアル変換部２２で例えばＲＳ２３２Ｃによるシリアル伝送のための信号形態に変換され，パーソナルコンピュータ２に伝送される。パーソナルコンピュータ２においては，ＲＯＭ４２に保持された文字データ対応のプログラムに基づいて，ＣＰＵ４１はシリアル通信で供給された文字データに対する文字列判別及び判別に伴う所要の処理を行なうことができるようにされている。この動作については後述する。」（段落【００１１】〜【００１８】）
　
（キ）「【００２０】このような放送信号記録システムにおいて実行できるエアチェック録音のための動作例として第１の動作例を図３で，また第２の動作例を図４で説明する。第１の動作例では，ユーザーは例えば好きなアーチスト名や曲名など，録音しておきたい音声の対象を示す文字列をキーワードとして登録する。音楽が放送される場合は，図７に示したようにアーチスト名や曲名等の番組情報が文字データとして送られてくるが，パーソナルコンピュータ２は文字データと登録されたキーワードに基づいて録音装置部の制御を行なうことになる。
【００２１】ＣＰＵ４１が実行する図３の処理において，ステップF101,F102,F103はキーワード登録に関する処理となる。キーワード登録がされていない時点では，ステップF103で否定結果が出るため，ステップF104以降の処理に進まない。従って，本例の自動録音動作を実行させるためには，ユーザーはまずキーワード登録を行なうことが必要となる。ユーザーがキーボード４を操作して文字列を入力すると，ＣＰＵ４１は入力された文字列をキーワードとしてＲＡＭ４３に登録する(F101,F102) 。例えばアーチスト名などがキーワードとして登録される。
【００２２】キーワードが少なくとも１つ以上登録されている時点では，処理はステップF104に進み，文字データデコーダ２１で抽出される文字列データの入力を確認する。文字列データの入力があった場合は，ステップF105で，その入力された文字列データの中に，登録されているキーワードが含まれているか否かを確認する。」（段落【００２０】〜【００２２】）
　
（ク）「【００２４】キーワードと合致する文字列が存在しなかった場合は，処理はそのままステップF101に戻り，ステップF104で次の文字列入力を待つ。ところが例えばユーザーがマライアキャリーの曲をエアチェック録音したいと望んで，『ＭＡＲＩＡＨ  ＣＡＲＥＹ』という文字列をキーワード登録していたとする。すると，入力された文字列データ内に，キーワードに合致する文字列が存在することになるため，処理はステップF106に進む。
【００２５】ステップF106では，ＣＰＵ４１は入力された文字列データの全部又は一部を再びシリアルデータに変換し，ＦＭ受信装置１に対して送信する。そしてＦＭ受信装置１においては，その文字列データはコントローラ３３に供給されることになる。例えば『ＭＡＲＩＡＨ  ＣＡＲＥＹ    ＥＭＯＴＩＯＮＳ』という文字列がコントローラ３３に送信される。さらに続いてステップF107では，ＣＰＵ４１はコントローラ３３に対して録音動作の開始を指示する制御信号を伝送する。これに応じてコントローラ３３は，エンコーダ３１及び記録部３２による記録動作を開始させ，ミニディスク９０に，Ａ／Ｄ変換器３０を介して供給される放送音声信号を録音させることになる。
【００２６】つまり，放送されるマライアキャリーの『エモーションズ』という曲がミニディスク９０に録音されていく。また，ミニディスクシステムにおいては録音されるトラックに対して曲名等の文字情報を記録することができるが，ステップF106でコントローラ３３に送られた文字情報は，その録音しているトラックに対応して入力された文字情報として扱われ，ミニディスク９０の管理情報エリア（ユーザーＴＯＣ）に記録される。
【００２７】ＣＰＵ４１はこのように録音開始を指示した後は，ステップF108,F109 で，さらに文字データデコーダ２１で抽出された文字列データが入力されてくるたびに，その文字列内に，今回の録音開始指示の基準となったキーワードが含まれているか否かを確認する。上記例の場合『ＭＡＲＩＡＨ  ＣＡＲＥＹ』という文字列が含まれているか否かを確認することになる。或る曲が放送されている間に繰り返し送られてくる番組情報となる文字データとしては，その曲が終るまでは同一内容である。例えば，マライアキャリーの『エモーションズ』という曲の放送が始まってから，その曲が終了するまでは，『ミエルラジオ  バングミジョウホウ  ＜ＭＡＲＩＡＨ  ＣＡＲＥＹ＞  ＥＭＯＴＩＯＮＳ  』という文字データが繰り返し送られている。
【００２８】従って，文字データが変更され，抽出された文字データの中にキーワードとなる文字列が含まれないことが確認されたら，それまで録音していた曲の放送が終ったと判断できる。そこで，ステップF109でキーワードと同一の文字列がなくなったことが確認されたら，ステップF110において，コントローラ３３に対して録音停止を指示する制御信号を出力する。これに応じてコントローラ３３ではエンコーダ３１，記録部３２による録音動作を終了させる。」（段落【００２４】〜【００２８】）
　
（ケ）「【００３０】次に第２の動作例として図４の処理を説明する。この動作例は，抽出された文字データをキーワードと比較し，同一文字列の有無に応じてコントローラ３３に録音開始，録音停止を指示することは同様であるが，ユーザーのキーワードの登録動作を簡易化するものである。即ち，ステップF202として，文字データデコーダ２１で抽出された文字列データが入力されるたびに，ステップF203でキーワードに適した文字列が存在するか否かを確認し，存在した場合はステップF204で，その文字列をキーワードとして登録していくようにしている。
【００３１】キーワードに適した文字列か否かの判断は，使用形態により異なるが，例えば本例のように音楽録音を目的とする場合は，番組情報内のアーチスト名を抽出する。そして図５，図６のようにアーチスト名の含まれない文字データが受信されている場合は，キーワードに適した文字はないと判断し，一方，図７のような文字データが抽出された時点では，そのなかからアーチスト名を抽出してキーワード登録する。
【００３２】キーワードと文字列の一致に基づく自動録音を実行させたい場合は，ユーザーは登録されているキーワードの中から或るキーワードを選択する。即ちステップF202〜F204の処理により，多くのキーワードがＲＡＭ４３に登録されていくが，ユーザーは或る時点で，キーワード選択操作を行なう。例えばＣＰＵ４１は，登録されているキーワードをディスプレイ装置３に一覧表示させ，ユーザーに選択を促す。
【００３３】キーボード４の操作によりユーザーが或るキーワードを選択すると，以降の処理はステップF201からF205に進む。そして文字データデコーダ２１で抽出された文字列データが入力されるたびに，その文字列内に選択されたキーワードと同一文字列が存在するか否かを確認し，図３の例と同様に，存在すれば，文字列データのコントローラ３３への伝送及び録音開始制御信号の送信を行なう(F205,F206,F207,F208) 。」（段落【００３０】〜【００３３】）
　
（コ）「【００３６】以上実施の形態を説明してきたが，本発明はさらに多様な変形例が考えられる。まず，ＦＭ放送受信装置の場合を例にあげたが，同様に文字データがテレビジョン信号に多重化されて送られてくる文字放送に対応する受信装置でも，全く同様の動作が可能である。さらにヨーロッパにおいて実用化されているＲＤＳ（Radio Data System ）の受信装置などでも採用できる」（段落【００３６】）
　
（サ）「【００３７】動作としては，上記例では録音装置部に録音開始，停止の制御信号と，文字データの両方を供給するようにしたが，この一方を供給する例も考えられる。例えば放送音声のみを自動的に録音していくものとする場合は，文字データの供給は必要ない。
【００３８】また，放送音声の記録は考えずに，文字データのみを記録していくシステムも同様に実現できる。即ち，キーワードを含む文字データが受信抽出された場合に，その文字データ自体を記録するようにし，そのときの放送音声等は記録しないようにするものである。」（段落【００３７】〜【００３８】）
　
（シ）「【発明の効果】以上説明したように本発明の放送信号記録システムでは，文字デコード手段によって得られた文字データに対して登録されたキーワードに相当する文字列の有無を判別し，その判別結果に応じて記録手段の記録動作の実行，停止を制御するようにしているため，ユーザーが所望するエアチェック等の記録動作が自動的に実行できるようになる。これにより，ユーザーは番組確認を行なったり，放送をずっと聞いていて所望の曲がかかった時点で録音操作するなどの面倒な操作は行なわなくとも，所望の放送記録が実現される。
【００４１】また，文字デコード手段によって得られた文字データにおいて登録されたキーワードに相当する文字列が存在した場合は，その文字列，又はその文字列を含む抽出された文字データの全部もしくは一部を，記録手段に供給し記録媒体に記録させることで，多重化されている文字データについても必要なものを自動的に記録できる。
【００４２】また，文字デコード手段によって得られた文字データから自動的に文字列を抽出してキーワードとして登録していくことができる登録手段と，文字デコード手段によって得られた文字データに対して登録されたキーワードの中で選択された特定のキーワードに相当する文字列の有無の判別結果に応じて記録手段に対する動作制御信号を供給することができる制御手段とを設けることで，ユーザーは登録されたキーワードの中からの選択操作のみで，所望の自動記録動作を実行させることができ，操作性が向上されるという効果がある。」（段落【００４０】〜【００４２】）
　
　
　これらの記載によると，刊行物には次の発明（以下「刊行物発明」という。）が記載されている。
　
「ＦＭ受信装置とパーソナルコンピュータを備え，ＦＭ多重放送に対応する放送信号記録システムであって，
ＦＭ多重放送では，音声信号に文字データを多重化して放送し，音楽が放送される場合は，アーチスト名や曲名等の番組情報が文字データとして送られ，或る曲が放送されている間に繰り返し送られる番組情報となる文字データは，その曲が終るまでは同一内容であり，
ＦＭ受信装置では，アンテナで受信され，フロントエンドで抽出された周波数（放送局）の信号は，中間周波増幅部において中間周波処理された後，ＦＭ検波部で検波復調処理が行なわれ，ＦＭ検波部からの出力時点では，ステレオ音声信号成分と，これに対して多重化されている文字データ信号成分が得られ，多重化された文字データを抽出するために，ＦＭ検波部の出力からバンドパスフィルタで抽出された信号成分が文字データデコーダに送られて文字データの抽出が行なわれ，抽出された文字データは，パーソナルコンピュータに伝送され，
パーソナルコンピュータでは，ＣＰＵは，供給された文字データに対する文字列判別及び判別に伴う所要の処理を行ない，すなわち，
文字データデコーダによって得られた文字データから，自動的にキーワードに適した文字列を抽出して，キーワードとしてＲＡＭに登録し，キーワードと文字列の一致に基づく自動記録を実行させたい場合は，ユーザーはＲＡＭに登録されている多くのキーワードの中からキーボードの操作により或るキーワードを選択し，それ以降，文字データデコーダで抽出された文字データが入力されるたびに，その文字列内に選択されたキーワードと同一文字列が存在するか否かを確認し，
入力された文字データ内に，選択されたキーワードと同一文字列が存在する場合は，ＣＰＵは入力された文字データの全部又は一部をＦＭ受信装置に対して送信し，ＦＭ受信装置においては，その文字データはコントローラに供給され，続いてＣＰＵはコントローラに対して記録動作の開始を指示する制御信号を伝送し，これに応じてコントローラは記録媒体への記録動作を開始させて文字データ自体を記録し，
ＣＰＵは記録開始を指示した後は，さらに文字データデコーダで抽出された文字データが入力されてくるたびに，その文字列内に，記録開始指示の基準となったキーワードが含まれているか否かを確認し，文字データが変更され，抽出された文字データの中にキーワードと同一文字列がなくなったことが確認されたら，コントローラに対して記録停止を指示する制御信号を出力し，これに応じてコントローラでは記録動作を終了させる，
放送信号記録システム。」
　
　
第５　対比
　
　本願発明と，刊行物発明とを対比する。
　
　刊行物発明のＦＭ多重放送は，音声信号に文字データを多重化して放送し，音楽が放送される場合は，アーチスト名や曲名等の番組情報が文字データとして送られるものであり，ここで，刊行物発明の「音声信号」及び「文字データ」は，それぞれ本願発明の「音声信号からなる音声番組」及び「音声付加情報」に相当するから，刊行物発明の「ＦＭ多重放送」は，本願発明の「音声信号からなる音声番組と同時に音声付加情報を多重して送信するデジタル音声放送」と，「音声信号からなる音声番組と同時に音声付加情報を多重して送信する」「音声放送」である点で一致する。
　
　刊行物発明のＦＭ受信装置では，アンテナで受信され，フロントエンドで抽出された周波数（放送局）の信号は，中間周波増幅部において中間周波処理された後，ＦＭ検波部で検波復調処理が行なわれ，ＦＭ検波部からの出力時点では，ステレオ音声信号成分と，これに対して多重化されている文字データ信号成分が得られるから，刊行物発明は，本願発明の「上記音声信号及び上記音声付加情報を有する受信信号を受信する受信手段」を備えているといえる。
　
　刊行物発明では，ＦＭ検波部の出力からバンドパスフィルタで抽出された信号成分が文字データデコーダに送られて，多重化された文字データの抽出が行なわれるから，刊行物発明の「バンドパスフィルタ」及び「文字データデコーダ」で構成される部分は，本願発明の「上記受信手段により受信された上記音声信号及び上記音声付加情報を有する受信信号から上記音声付加情報をデコードするデコード手段」に相当する。
　
　刊行物発明では，文字データデコーダで抽出された文字データは，パーソナルコンピュータに伝送され，当該文字データの中に選択されたキーワードと同一文字列が存在する場合は，当該文字データの全部又は一部がＦＭ受信装置のコントローラに供給されて記録媒体に記録されることから，刊行物発明は，本願発明の「上記デコード手段によりデコードされた上記音声付加情報を任意のタイミングに基づいて記録する記録手段」と，「上記デコード手段によりデコードされた上記音声付加情報を」「記録する記録手段」である点で一致する構成を，備えているといえる。
　
　刊行物発明では，キーボードの操作によりユーザーが或るキーワードを選択すると，それ以降，文字データデコーダで抽出された文字データの文字列内に選択されたキーワードと同一文字列が存在する場合に，記録動作の開始を指示する制御信号をコントローラに伝送して，記録動作を開始させるから，刊行物発明の「キーワード」は，記録手段の記録に関する動作を制御するための情報である点で，本願発明の「任意のタイミング」と共通するものであり，キーワードを選択的に入力設定する刊行物発明の「キーボード」は，本願発明の「上記任意のタイミングを選択的に入力設定する入力手段」と，記録手段の記録動作を制御するための情報「を選択的に入力設定する入力手段」である点で一致する。
　
　刊行物発明では，文字データデコーダで抽出された文字データの文字列内に，ユーザーがキーボードの操作により選択したキーワードと同一文字列が存在する場合に，ＣＰＵがコントローラに伝送した記録動作の開始を指示する制御信号に応じて，コントローラが記録媒体への記録動作を開始させるから，刊行物発明の「ＣＰＵ」及び「コントローラ」で構成される部分は，本願発明の「上記入力手段により選択的に入力設定された任意のタイミング及びその組み合わせにより上記記録手段の記録に関する動作を制御する制御手段」と，「上記入力手段により選択的に入力設定された」記録手段の記録動作を制御するための情報「により上記記録手段の記録に関する動作を制御する制御手段」である点で一致する。
　
　そして，刊行物発明の「放送信号記録システム」は，音声放送受信装置に関するものである。
　
　
　したがって，本願発明と刊行物発明とは，以下の点で一致乃至相違する。
　
＜一致点＞
 「音声信号からなる音声番組と同時に音声付加情報を多重して送信する音声放送を受信する音声放送受信装置において，
　上記音声信号及び上記音声付加情報を有する受信信号を受信する受信手段と，
　上記受信手段により受信された上記音声信号及び上記音声付加情報を有する受信信号から上記音声付加情報をデコードするデコード手段と，
　上記デコード手段によりデコードされた上記音声付加情報を記録する記録手段と，
　記録手段の記録動作を制御するための情報を選択的に入力設定する入力手段と，
　上記入力手段により選択的に入力設定された記録手段の記録動作を制御するための情報により上記記録手段の記録に関する動作を制御する制御手段と，
　を備えたことを特徴とする音声放送受信装置。」である点。
　
＜相違点１＞
　本願発明は，「デジタル」音声放送を受信する「デジタル」音声放送受信装置であるのに対して，刊行物発明は，「デジタル」音声放送を受信する「デジタル」音声放送受信装置ではない点。
　
＜相違点２＞
　本願発明では，記録手段は音声付加情報を「任意のタイミングに基づいて」記録し，入力手段で入力設定される情報は「上記任意のタイミング」であり，制御手段は，入力設定された「任意のタイミング及びその組み合わせ」により記録手段の記録に関する動作を制御するのに対して，刊行物発明では，記録手段は音声付加情報を「任意のタイミングに基づいて」記録するとは記載されておらず，入力手段で入力設定される情報はキーワードであり，制御手段は，文字データデコーダで抽出された文字データ内に，入力設定されたキーワードと同一文字列が存在するか否かの判断結果により，記録手段の記録に関する動作を制御する点。
　
　
第６　当審の判断
　
＜相違点１について＞
　刊行物には，「本発明はさらに多様な変形例が考えられる。まず，ＦＭ放送受信装置の場合を例にあげたが，同様に文字データがテレビジョン信号に多重化されて送られてくる文字放送に対応する受信装置でも，全く同様の動作が可能である。さらにヨーロッパにおいて実用化されているＲＤＳ（Radio Data System ）の受信装置などでも採用できる」（上記「第４　刊行物に記載された発明」（コ））と記載されており，刊行物発明を，周知のデジタル音声放送受信装置（例えば，特開平８−７６７９１号公報，特開平８−２４２２１５号公報，特開平９−２３２９８２号公報を参照。）に適用することは，当業者が容易になし得たことである。
　
＜相違点２について＞
　本願発明の「任意のタイミング」という文言が，仮に，何ら規則性のないタイミングを意味するならば，本願発明の記録手段は，何ら規則性のないタイミングで音声付加情報の記録を行うこととなるから不合理である。
　したがって，本願発明の「任意のタイミング」の意味が不明確であるから，「任意のタイミング」の意味を明確にするために，発明の詳細な説明の記載を参酌する。
　本願の発明の詳細な説明には，「入力手段は，設定条件のタイミングのうち，複数のうちから任意のタイミングを選択的に入力設定する。」（段落【００１１】），「マイコン４は，使用者がキー６を用いて所定の設定条件を入力することにより，予め，楽曲情報９を記憶装置５に記録するタイミングを設定，記憶している。キー６は，上述したタイミングを，以下のような複数のうちから任意のタイミングを選択的に入力設定する機能を有する。第１のタイミングは，楽曲の一定時間，または一定割合を聴取したら，現在の楽曲情報を記憶装置５に記録するものである。…（中略）…第３のタイミングは，新しい楽曲に変わったら，直前の楽曲情報を記憶装置５に記録するものである。」（段落【００１６】），「デジタル音声放送受信装置のマイコン４の動作を図３〜図５に示すフローチャートを用いて以下に説明する。設定条件として，以下の２つのタイミングを組み合わせて設定する例を示す。具体的には上述した，第１のタイミングにより，楽曲を一定時間（ｎ分，ただしｎは自然数。）聴取したら，現在の楽曲情報を記憶装置５に記録し，第３のタイミングにより，新しい楽曲に変わったら，直前の楽曲情報を記憶装置５に記録する。」（段落【００３０】），などと記載されているから，本願発明の「任意のタイミング」という文言は，「設定条件により定められたタイミング」を意味するものとして，以下，検討を進める。
　
　刊行物発明において，選択的に入力設定されるキーワードは，当該キーワードと同一の文字列が，文字データデコーダで抽出された文字データ内に存在すると判断された時点でコントローラに記録動作を開始させるとともに，記録実行中に文字データデコーダで抽出された文字列データ内に，記録開始指示の基準となった選択キーワードがなくなったことが確認された時点でコントローラに記録動作を終了させるために用いられるから，刊行物発明において選択的に入力設定される「キーワード」は，記録開始のタイミングと記録終了のタイミングを定めており，本願の発明の詳細な説明に記載された「設定条件」に相当するといえる。
　そして，刊行物発明では，キーワードにより定められた記録開始のタイミングと記録終了のタイミングに基づいて，文字データ（音声付加情報）を記録媒体へ記録する動作を制御しているから，刊行物発明に基づいて，「上記デコード手段によりデコードされた上記音声付加情報を任意のタイミングに基づいて記録する記録手段」と，「上記任意のタイミングを選択的に入力設定する入力手段」と，「上記入力手段により選択的に入力設定された任意のタイミング及びその組み合わせにより上記記録手段の記録に関する動作を制御する制御手段」とを設けることは，当業者が容易なし得たことである。
　
　
　そして，本願発明のように構成したことによる効果も，刊行物発明及び周知技術から，予測できる程度のものである。
　
　
第７　むすび
　 
　以上のとおり，本願発明は，上記刊行物発明及び周知技術に基づいて，当業者が容易に発明をすることができたものであるから，特許法第２９条第２項の規定により特許を受けることができない。
　 
　したがって，本願は，他の請求項について論及するまでもなく，拒絶すべきものである。　 
　 
　よって結論のとおり審決する。